(57)【要約】【課題】従来の歯科用吸引装置の吸引機構においては、吸引量が多い用途では器具が大きく重くなり、口腔内液体の吸引及び操作には問題があった。従来の吸引装置に比し、格段に小型・軽量で操作が容易な歯科用吸引装置を提供する。【解決手段】歯科用吸引装置本体のバルブ収納部に、ボールバルブが配設されてなり、ボールバルブ収納部の表面に、手指で前後にスライドしてボールバルブの流体通路を開閉できるスライドスイッチと、収納部の前方端部に各種の吸引管の挿着部及び、後端に偏角が設定できる吸引チューブの挿着部が配設される。【選択図】図１
2012080974.tif 000002
【特許請求の範囲】
【請求項１】
口腔内の流体を吸引する歯科用吸引装置 において、
吸引装置本体内部の流体開閉弁としてボールバルブを採用してなることを特徴とする歯科用吸引装置。
【請求項２】
歯科用吸引装置本体の手持ち部表面に、ボールバルブ開閉用の手指で前後にスライドさせるボールバルブ開閉用のスライドスイッチが配設されてなることを特徴とする請求項1に記載の歯科用吸引装置。
【請求項３】
歯科用吸引装置本体の後部とそれに着脱自在に連結される吸引チューブとの連結部に、回転自在な偏角を設けた連結機構を備えてなることを特徴とする請求項1又は２に記載の歯科用吸引装置。
【請求項４】
球体の表面の一部に突設された短軸と同短軸の軸心に直交して貫設された大きな貫通孔を備えたボール状弁体と、管壁に前記短軸が回動自在に挿嵌できる貫通孔を有し、前記ボール状弁体を収容できる管体と、前記短軸の回動運動方向を、管体の軸線に沿った直線運動方向に変換する回転直線運動変換機構とを備えてなることを特徴とする請求項1〜３のいずれか１項に記載の歯科用吸引装置。
【請求項５】
回転直線運動変換機構が、ボール状弁体の短軸の上端面にその中心から半径方向へ削成された長溝と、同長溝に垂直に遊嵌されるロッドと、同長溝上部の管体の壁に設けられた、ロッドの胴部を貫挿して直線方向にスライドするためのスリットと、同スリットの上面に位置し、前記ロッドの基部が固定され背部に手指懸け部を有する直線方向に滑動可能なスライダーとからなることを特徴とする請求項1〜４のいずれか１項に記載の歯科用吸引装置。
【発明の詳細な説明】
【技術分野】
【０００１】
本発明は、歯科診療における口腔内の吸引装置に関する。
【背景技術】
【０００２】
従来 、歯科用吸引装置は流体通路の開閉手段を有しているが、その開閉機構に定型はなかった。
【先行技術文献】
【特許文献】
【０００３】
【特許文献１】特開２００６−１０２４８６号公報
【特許文献２】特開平０５−０９５９９７号公報
【発明の概要】
【発明が解決しようとする課題】
【０００４】
しかし、従来の歯科用吸引装置の吸引機構においては、流体の吸引量と器具の大きさとは比例しており、吸引量が多い用途では器具は大きく重くなり、特に口腔内における吸引及び操作には問題があった。
本発明では、従来と同様な吸引量の場合、従来の吸引装置に比し格段に小型・軽量で操作が容易な歯科用吸引装置を提供する。
【課題を解決するための手段】
【０００５】
上記に鑑み本発明者等は鋭意実験研究の結果、下記の手段により課題を解決した。
（１）口腔内の流体を吸引する手持ち型歯科用吸引装置 において、吸引装置本体内部の流体開閉弁としてボールバルブを採用してなることを特徴とする歯科用吸引装置。
（２）歯科用吸引装置本体の手持ち部表面に、ボールバルブ開閉用の手指で前後にスライドさせるボールバルブ開閉用のスライドスイッチが配設されてなることを特徴とする前項（１）に記載の歯科用吸引装置。
（３）歯科用吸引装置本体の後部とそれに着脱自在に連結される吸引チューブとの連結部に、回転自在な偏角を設けた連結機構を備えてなることを特徴とする前項（１）又は（２）に記載の歯科用吸引装置。
（４）球体の表面の一部に突設された短軸と同短軸の軸心に直交して貫設された大きな貫通孔を備えたボール状弁体と、管壁に前記短軸が回動自在に挿嵌できる貫通孔を有し、前記ボール状弁体を収容できる管体と、前記短軸の回動運動方向を、管体の軸線に沿った直線運動方向に変換する回転直線運動変換機構とを備えてなることを特徴とする前項（１）〜（３）のいずれか１項に記載の歯科用吸引装置。
（５）回転直線運動変換機構が、ボール状弁体の短軸の上端面にその中心から半径方向へ削成された長溝と、同長溝に垂直に遊嵌されるロッドと、同長溝上部の管体に設けられた、ロッドの胴部を貫挿して直線方向にスライドするためのスリットと、同スリットの上面に位置し、前記ロッドの基部が固定され背部に手指懸け部を有する直線方向に滑動可能なスライダーとからなることを特徴とする前項（１）〜（４）のいずれか１項に記載の歯科用吸引装置。
【発明の効果】
【０００６】
本発明によれば次のような優れた効果を発揮することができる。
１、請求項1の発明によれば、
口腔内の流体を吸引する歯科用吸引装置において、歯科用吸引装置本体のバルブ収納部内の弁体にボールバルブを採用したため、
構造が単純であり、弁体の軸を９０度回動することにより、開閉を行なうことができ操作性がよい。
そして、ボールバルブは、同様な性能の他のバルブに対し体積が最も小さく、また流体通路孔の口径を大きくすることができるので、流量を極めて大きくすることができ、
さらに、流体通路孔内の流れに対する障害物がないため、渦流や脈流が生じにくく、吸引特性に優れている。
特に歯科用吸引装置、例えば、吸引量の少ない排唾器（サライバエジェクタ）等においては、小型軽量にすることができるため操作性に優れ、患者への負担が少ない。
【０００７】
２、請求項２の発明によれば、
歯科用吸引装置本体のボールバルブを回動させて流体通路を開閉するスライドスイッチを、ボールバルブ収納部の表面に設けたため、
把持した手指の先でスライドスイッチを前後にスライドして開閉でき、簡単で操作性がよく、また外観も優美である。
３、請求項３の発明によれば、
歯科用吸引装置本体の後部とそれに着脱自在に連結される吸引チューブとの連結部に、回転自在な偏角を設けた連結機構を備えてなるため、
吸引チューブとバルブ収納部とを所望の角度に設定することができ、口腔内の所要箇所への設定が容易であり、治療時の作業効率を向上することができる。また、吸引チューブが垂れ下がる角度がより鉛直に近くなるため、施術者は吸引チューブの重さを感じにくく、疲労が少ない。
【０００８】
４、請求項４の発明によれば、
球体の表面の一部に突設された短軸と同短軸の軸心に直交して貫設された大きな貫通孔を備えたボール状弁体と、管壁に前記短軸が回動自在に挿嵌できる貫通孔を有し、前記ボール状弁体を収容できる管体と、前記短軸の回動運動方向を、管体の軸線に沿った直線運動方向に変換する回転直線運動変換機構とを備えてなるため、
スライドスイッチを前後にスライドすることにより、弁体を回動させることができ、小型軽量な吸引装置を作成でき、また操作も容易である。
【０００９】
５、請求項５の発明によれば、
回転直線運動変換機構が、ボール状弁体の短軸の上端面にその中心から半径方向へ削成された長溝と、同長溝に垂直に遊嵌されるロッドと、同長溝上部の管体に設けられた、ロッドの胴部を貫挿して直線方向にスライドするためのスリットと、同スリットの上面に位置し、前記ロッドの基部が固定され背部に手指懸け部を有する直線方向に滑動可能なスライダーとからなるため、
回転直線運動変換を、スライダーと連動して吸引装置本体の内部において変換効率良く行なうことができる。
【図面の簡単な説明】
【００１０】
【図１】歯科用吸引装置の外観斜視図。
【図２】歯科用吸引装置本体の外観図。
【図３】ボール状弁体収納部の外観斜視図。
【図４】スライドスイッチの外観斜視図。
【図５】ボール状弁体の外観斜視図。
【図６】本体内部を示す組図でボール状弁体開のときの一部破断図。
【図７】本体内部を示す組図でボール状弁体閉のときの一部破断図。
【図８】ボール状弁体開閉作動の原理図。
【図９】図８の補足説明図。
【図１０】ボール状弁体保持具の模式図。
【図１１】ボール状弁体のスライド溝とスライドスイッチスライド用突起との嵌合部分を示す模式断面図。
【図１２】本体後端の偏角設定・ジョイント部に吸引チューブを挿着したときの外観図。
【図１３】図１２の外観斜視図。
【図１４】従来のボール状弁体収納部の縦断面図。
【発明を実施するための最良の形態】
【００１１】
発明を実施するための最良の形態を以下順次説明する。
従来、他の技術分野において、主として大型流体開閉制御の弁体としてボール状弁体が利用されている。
一例を図に示す。図１４は従来のボールバルブ収納部の縦断面図を示す。
図において、３０はボールバルブの収納部、３１はボデー、３２はボデーキャップ、３３はボールバルブ、３４はボールシート、３５は流体通路、３６は回転軸、３７は開口部を示す。
図のように、ボール状弁体３３は、左右からボデーキャップ３２及びボールシート３４によって保持され、また、回転軸３６は外部に突出され、その回転軸を９０度回動することによって、開口部３７が開閉される。したがって小型化するのは困難であった。
【００１２】
しかし、本発明は小口径の歯科用吸引装置に適するように工夫されている。
即ち、本発明においては、前記のようにボール状弁体の短い回転軸の端面の円形の軸の中心から外周端に向けて刻設されたスライド溝に、前後に移動する短いロッドを嵌合させ、溝内をスライドさせることにより直線運動を回転運動に変え、ボール状弁体を９０度回動させているため、収納容器の上方に一体化されたスライドスイッチを含めて保持する容器は極めて小型化されている。
【００１３】
図１は、本発明の歯科用吸引装置の外観斜視図である。
図において、１は歯科用吸引装置、２はボール状弁体収納部、３はスライドスイッチ、４は吸引管挿着部、５は吸引管、７は吸引チューブ挿着部、８は吸引チューブ、２５は歯科用吸引装置本体を示す。
図示したように、歯科用吸引装置１は、歯科用吸引装置本体２５のボール状弁体収納部２の前後に吸引管５及び吸引チューブ８を挿着し構成されている。
施術者はボール状弁体収納部２付近を把持し、手指の先でスライドスイッチ３を前後にスライドさせて開閉操作する。
なお、歯科用吸引装置の吸引対象は、歯や補綴物の切削、除去等の際に生ずる粉塵や、冷却スプレ−水、その他、唾液、血液等であり、
また、吸引管５は、歯科用吸引装置、排唾器等の吸引管である。
【００１４】
図２は、歯科用吸引装置本体の外観図で、（ａ）は上面図、（ｂ）は正面図、（ｃ）は左側面図、（ｄ）は右側面図，（ｅ）は下面図、（ｆ）は背面図、（ｇ）は縦断面図である。
図において、９はボール状弁体を示す。
図２は、スライドスイッチ３は前方にスライドされ、流体通路は開の状態である。
そして、（ｇ）の縦断面図に示すように、ボール状弁体９はボール状弁体収納部２の内部に収納されている。
詳細については、構成部品図及び組図等において後述する。
【００１５】
図３は、ボール状弁体収納部の外観斜視図である。
図において、１０は段差を有する円筒部、１１は収納部の吸引チューブ挿着部、１２ａ、１２ｂはスライドスイッチ用スリット、１３は収納部の吸引管挿着部、１４はボール状弁体回動用スリットを示す。
図示したように、前記歯科用吸引装置本体２５のボール状弁体収納部２は円筒状で、両側部には、スライドスイッチ用ロッド（２１ａ、２１ｂ）が嵌合するスライドスイッチのスリット１２ａ、１２ｂ及び、ボール状弁体回動用ロッド（２０ａ、２０ｂ）が嵌合するボール状弁体回動用スリット１４が設けられている。
【００１６】
図４は、スライドスイッチの外観斜視図である。
図において、１９は手指懸け、２０ａ，２０ｂはボール状弁体回動用ロッド，２１ａ、２１ｂはスライドスイッチ用ロッドを示す。
スライドスイッチ３は、半円筒形をしており、その両下端には、４ケのスライドスイッチ用ロッド２１ａ、２１ｂ及び、下端中央には２ケのボール状弁体回動用ロッド２０ａ、２０ｂが設けられている。
そして、スライドスイッチ３の前記半円筒形状の上部には、手指にてスライドスイッチ３をスライドさせる手指懸け１９が設けられている。
そして、手指懸け１９によってスライドスイッチ３を前後にスライドさせると、
スライド溝（１８）に嵌入しているロッド２０ａ、２０ｂは、スライド溝（１８）内をスライドし、ボール状弁体（９）はボール状弁体短軸（１６）を中心に９０度回動する。
本スライドスイッチ３の半円筒の部分は、前記図３の、段差を有する円筒部１０の上に重ねられ、前記図３のボール状弁体のスライドスイッチ用スリット１２ａ、１２ｂ及びボール状弁体回動用ロッド（２０ａ、２０ｂ）が嵌合するボール状弁体回動用スリット１４に、スライドスイッチ用ロッド２１ａ、２１ｂ及び、下端中央のボール状弁体回動用ロッド２０ａ、２０ｂをはめ込んで配設されている。
【００１７】
図５はボール状弁体の外観斜視図である。
図において、１５は流体通路孔、１６はボール状弁体短軸、１７は回動軸面、１８はスライド溝を示す。
図示したように、ボール状弁体９には、口径が前記ボール状弁体収納部２の内径に等しい大口径の流体通路孔１５が貫通して設けられており、
また、前記流体通路孔１５と９０度位置が異なる回動軸には、ボール状弁体短軸１６と回動軸面１７が設けられ、同回動軸面１７には、スライドスイッチ３のボール状弁体回動用ロッド２０ａ，２０ｂによって前記流体通路孔１５を９０度回動させて開閉を行なうためのスライド溝１８が、前記ボール状弁体短軸１６のセンターを中心にして外周に向けて刻設されている。
本ボール状弁体９はボール状弁体収納部２の中央に配設される。
【００１８】
図６は、本体内部を示す組図でボール状弁体開のときの一部破断図である。
図において、１９は手指懸け、２３はボール状弁体収納部の外壁を示す。
図示したように、ボール状弁体９は、ボール状弁体収納部の外壁２３内に保持されており、また前記スライドスイッチ３は、手指懸け１９によって吸引管５側にスライドされている。
そして、ボール状弁体回動用ロッド２０ａ，２０ｂ（図４）は、スライド溝１８内を前方の吸引管５側にスライドされており、ボール状弁体短軸１６は、流体通路孔１５が前記ボール状弁体収納部２の内径と平行した開の状態の角度になっている。
また、回動軸面１７は図のように前記ボール状弁体収納部の外壁２３内にあり外部からは見えない。
そして、前記ボール状弁体収納部２前方の内側に装着されている吸引管装着部４（図２のｇ図）の先端部が破断図の中に図示されている。
【００１９】
図７は、本体内部を示す組図でボール状弁体閉の時の一部破断図である。
図において２２はボール状弁体の閉塞面を示す。
スライドスイッチ３は、手指懸け１９によって吸引チューブ８側にスライドされており、前記ボール状弁体回動用ロッド２０ａ、２０ｂは、スライド溝１８内を後方の吸引チューブ８側にスライドして、ボール状弁体短軸１６は前記開の状態から時計方向に９０度回動する。
連動して流体通路１５も９０度回動し、ボール状弁体の閉塞面２２が流体通路１５を閉塞して、流体通路孔１５は閉の状態になっている。
また、回動軸面１７は図のように前記ボール状弁体収納部の外壁２３内にあり外部からは見えない。
そして前記ボール状弁体収納部２前方の内側に装着されている吸引管装着部４（図２のｇ図）の先端部が破断図の中に図示されている。
【００２０】
前記図６及び図７における作用について、説明図によって以下に詳述する。
図８はボール状弁体開閉作動の原理図である。
図において、２６はボール状弁体の回転角度、２７は回動用ロッドの直線移動距離を示す。
図示したように、ボール状弁体回動用ロッド２０ｂ、（２０ａ）は、ボール状弁体短軸１６上面のスライド溝１８の左端にありこの時の状態をボール状弁体９の開とする。
次にボール状弁体回動用ロッド２０ｂを右に直線的にスライドがさせると、ボール状弁体回動用ロッド２０ｂはスライド溝１８の右側面を押しながらスライドするので、スライドボール状弁体回動用ロッド２０ｂはスライド溝１８の中央付近となり（破線）、
さらに、ボール状弁体回動用ロッド２０ｂを右に直線的にスライドがさせると、ボール状弁体回動用ロッド２０ｂはスライド溝１８右端となるため（破線）、連動してスライド溝１８は時計方向へ９０度回転する。この時の状態をボール状弁体９の閉とすれば、ボール状弁体回動用ロッド２０ｂの直線運動を、ボール状弁体９の回転運動に変えることができる。
閉から開への動作は、前記と逆方向にボール状弁体回動用突起２０ｂを移動させればよい。
また、前記ボール状弁体の回転角度２６の、９０度は、前記回動用突起の直線移動距離２７を、回転角度が９０度となるように設定すればよい。
【００２１】
図９は、図７の補足説明図で、
図７の本体内部を示す組図でボール状弁体閉の時の一部破断図では表わされていない前記ボール状弁体回動用ロッド２０ｂと、スライド溝１８との位置関係の、前記図８の原理に基づく説明図である。
図において、ボール状弁体回動用ロッド２０ｂとスライドスイッチスライド用ロッド２１ａ、２１ｂ（図４）、及び、ボール状弁体回動用スリット１４及びスライドスイッチ用のスリット１２ａ、１２ｂ（図３）は、説明するための仮想図で、本体は省略されている。
【００２２】
（ａ）図は、ボール状弁体９が開の時の説明図で、
前記ボール状弁体回動用ロッド２０ｂは、ボール状弁体回動用スリット１４を貫通して
先端はスライド溝１８に嵌合している。
（ｂ）図は、ボール状弁体９が中間の半開きの時の説明図で、
位置関係は、前記ボール状弁体回動用ロッド２０ｂは、ボール状弁体回動用スリット１４の中間にあり、またスライド溝１８は前記開より４５度の角度にある。
（ｃ）図は、ボール状弁体９が閉の時の説明図で
位置関係は、前記ボール状弁体回動用ロッド２０ｂは、ボール状弁体回動用スリットの右端にあり、またスライド溝１８は前記開より９０度の角度にある。
【００２３】
そして、ボール状弁体９を、ボール状弁体収納部２３内に保持する事例を模式図によって説明する。
図１０はボール状弁体保持具の模式図である。
図において、４１はボール状弁体収納部に嵌装される後半部の保持筒、４２はボールバ
ルブ収納部に刻設された軸周の前半分に当接する半円形の切り込み、４３はボール状弁体収納部に刻設された半球状前半分の面に当接する曲面の切り込み、４２’はボール状弁体後半部の保持筒に刻設された軸周の後半分に当接する半円形の切り込み、４３’は保持筒に刻設された半球状後半分の面に当接する曲面の切り込みを示す。
【００２４】
ボール状弁体収納部２の中央に配設されボール状弁体９は、その前半部を保持するボール状弁体収納部２と、その後半部を支持する保持筒４１とが、中央で突合わされ保持される。
以下に、図１０に基づいて、事例を説明する。
図において、２９は流体通路を示す。
保持筒４１の外径は、ボール状弁体収納部２の内径より小さい。
まず、ボール状弁体９の前半分をボール状弁体収納部２に→のように挿着する。
次に、保持筒４１をボール状弁体収納部２の中を→のように移動させ、ボール状弁体９の後ろ半分を保持するように挿着すればよい。
また、スライド溝１８には前記スライドスイッチ用ロッド２１ａが、→印の方向に嵌合されるが、この部分は（別図１１）にて説明する。
【００２５】
図１１は、ボール状弁体のスライド溝とスライドスイッチ用ロッドとの嵌合部分を示す模式断面図である。
図において２９は流体通路を示す。
前記保持筒４１はボール状弁体収納部２の筒の中に嵌装されており、ボール状弁体短軸１６とスライド溝１８の部分は図３のスリット１４の中にあるが、そのスライド溝１８にはスライドスイッチ用ロッド２１ａが嵌合されている。（図９参照）
【００２６】
前記図６、図７に示したように、ボール状弁体９の体積は小さくかつ、流体通路孔１５の口径は、ボール状弁体収納部２と同口径で大きいため、開の時は吸引効率が良く、また、閉の時は、ボール状弁体の閉塞面２２で流体通路をぴったりと塞ぐことができる。
そして、スライドスイッチ３のスライドによるボール状弁体短軸１６の回動機構も簡明であり、全体として軽量小型化されており、操作も容易である。
【００２７】
図１２は、本体後端の偏角設定・ジョイント部に吸引チューブを挿着したときの外観図で、（ａ）は正面図、（ｂ）は縦断面図を示す。
図において、６は偏角設定・ジョイント部、２４は偏角を示す。
本図は、歯科用吸引装置の他の事例である。
施術者は、偏角設定・ジョイント部６を回して偏角２４を所望角度に設定し、ボール状弁体収納部２付近を把持して、吸引管５の先端を口腔内の所望部位に容易に近づけることができる。
図１３は図１２の外観斜視図である。
【符号の説明】
【００２８】
１：歯科用吸引装置
２：ボール状弁体収納部
３：スライドスイッチ
４：吸引管挿着部
５：吸引管
６：偏角設定・ジョイント部
７：吸引チューブ挿着部
８：吸引チューブ
９：ボール状弁体
１０：段差を有する円筒部
１１：収納部の吸引チューブ挿着部
１２ａ、１２ｂ：スライドスイッチ用スリット
１３：収納部の吸引管挿着部
１４：ボール状弁体回動用スリット
１５：流体通路孔
１６：ボール状弁体短軸
１７：回動軸面
１８：スライド溝
１９：手指懸け
２０ａ、２０ｂ：ボール状弁体回動用ロッド
２１ａ、２１ｂ：スライドスイッチ用ロッド
２２：ボール状弁体の閉塞面
２３：ボール状弁体収納部の外壁
２４：偏角
２５：歯科用吸引装置本体
２６：ボール状弁体の回転角度
２７：回動用ロッドの直線移動距離
２８：ボール状弁体保持具
２９：流体通路
３０；ボールバルブの収納部
３１：ボデー
３２：ボデーキャップ
３３：ボールバルブ
３４：ボールシート
３５：流体通路
３６：回転軸
３７：開口部
４１：ボール状弁体収納部に嵌装される後半部の保持筒
４２：ボール状弁体収納部に刻設された軸周の前半分に当接する半円形の切り込み
４２’：保持筒に刻設された軸周の後半分に当接する半円形の切り込み
４３：ボール状弁体収納部に刻設された半球状前半分の面に当接する曲面の切り込み
４３’：保持筒に刻設された半球状後半分の面に当接する曲面の切り込み
【図１】
2012080974.tif 000003
【図２】
2012080974.tif 000004
【図３】
2012080974.tif 000005
【図４】
2012080974.tif 000006
【図５】
2012080974.tif 000007
【図６】
2012080974.tif 000008
【図７】
2012080974.tif 000009
【図８】
2012080974.tif 000010
【図９】
2012080974.tif 000011
【図１０】
2012080974.tif 000012
【図１１】
2012080974.tif 000013
【図１２】
2012080974.tif 000014
【図１３】
2012080974.tif 000015
【図１４】
2012080974.tif 000016